(57)【要約】【課題】  光学特性を劣化させることなく、ほぼ同形状した複数の光学素子を簡単に識別することができる光学ブロックを提供すること。【解決手段】  ほぼ同形状した複数の光学素子１２、１３を接合してなる光学ブロック１１であって、各光学素子１２、１３にはその表面の反射率を低減する反射防止膜１２２ａ、１３２ａが形成されるとともに、各光学素子１２、１３の反射防止膜１２２ａ、１３２ａの色が異なる。【選択図】    図２
2006284635.tif 000002
【特許請求の範囲】
【請求項１】
ほぼ同形状した複数の光学素子を接合してなる光学ブロックであって、各光学素子にはその表面の反射率を低減する反射防止膜が形成されるとともに、各光学素子の反射防止膜の色が異なることを特徴とする光学ブロック。
【請求項２】
前記光学ブロックはキューブ型プリズムであり、ほぼ同じ三角柱形状した第１のプリズム構成体および第２のプリズム構成体を光軸に対して斜めに傾いた部分反射面を介して接合するとともに、前記第１のプリズム構成体あるいは前記第２のプリズム構成体のどちらか一方の部分反射面には、光透過特性及び光反射特性を有する光学多層膜が形成されてなる請求項１記載の光学ブロック。
【請求項３】
各光学素子の前記反射防止膜の色を異ならせるための波長域は、前期光学ブロックに入射するレーザ光の波長域以外であることを特徴とする請求項１または２記載の光学ブロック。
【発明の詳細な説明】
【技術分野】
【０００１】
本発明は、ほぼ同形状した複数の光学素子を接合してなる光学ブロックに関する。より詳細に述べれば、光学素子の表面に形成された反射防止膜に関する。
【背景技術】
【０００２】
ほぼ同形状した複数の光学素子を接合してなる光学ブロックとしては、例えば、ほぼ同形の２つの三角柱状を、光軸に対して斜めに傾いた部分反射面を介して接合したキューブ型プリズムがある。
【０００３】
例えば、図１に示すような、ＣＤやＤＶＤなどの光記録ディスクの記録、再生に用いられる光ヘッド装置１０において、キューブ型プリズム１１は、レーザ発光素子１５から出射されたレーザ光をコリメートレンズ１７に向けて透過する一方、光記録媒体２３からの戻り光を受光素子２１に向けて反射するようにしている。
【０００４】
例えば、従来のキューブ型プリズム１１０は、図６に示すように、同一の材料で断面が直角三角形からなる第１のプリズム構成体１２および第２のプリズム構成体１３１を有し、これら第１および第２のプリズム構成体１２、１３１はレーザ発光素子１５から出射されるレーザ光の光軸Ｌに対して斜めに傾いた部分反射面１４を介して接合されている。
部分反射面１４を構成する第１のプリズム構成体１２の斜面には、光透過特性または光反射特性を有する光学多層膜１２１が形成されており、この光学多層膜１２１が光の分離機能あるいは光の合成機能として働いている。
また、第１のプリズム構成体１２の斜面以外の表面には、その表面の反射率を低減する反射防止膜１２２が形成されている。
同様に、第２のプリズム構成体１３１の斜面以外の表面には、反射率を低減する反射防止膜１３２、１３３が形成されている。
【０００５】
このキューブ型プリズム１１０を、光ヘッド装置１０に配置する際、所定の光透過特性または光反射特性を得るため、第１のプリズム構成体１２あるいは第２のプリズム構成体１３１のどちらに光学多層膜１２１を形成したかを識別する必要がある。
そのため、光学多層膜１２１が形成されている第1のプリズム構成体１２を識別するため、例えば、第１のプリズム構成体１２あるいは第２のプリズム構成体１３１のどちらか一方に、図６では第２のプリズム構成体１３１に、成膜前または後に面取り部１３４を形成していた。
さらに、成膜後に面取り部１３４を形成する場合には、面取り部１３４を形成するまで識別する必要があるので、油性ペンで印を付けることやダイヤモンドペンでけがくことをしていた。
また、面取り部１３４を形成する場合等は処理工程が増えるので、第１のプリズム構成体１２あるいは第２のプリズム構成体１３１の１つの面を研磨せずにそのままの粗面にしていた。
【発明の開示】
【発明が解決しようとする課題】
【０００６】
しかしながら、面取り部１３４を形成した場合、ダイヤモンドペン等による印をつける場合等は、プリズム構成体等の光学素子の基体を加工するので、歪応力等が残ってしまうおそれがある。
また、油性ペン等で印を付ける場合には、光学素子が汚れるという問題があった。すなわち、これらは、キューブ型プリズム等の光学ブロックの光学特性を劣化させるおそれがある。
【０００７】
また、面取り以外のある面を研磨せずに粗面のままとする場合には、粗面を形成した面は光学機能として使用することができず、光学素子の用途（機能）を限定するという問題があった。
【０００８】
以上の問題点に鑑みて、本発明の課題は、光学特性を劣化させることなく、ほぼ同形状した複数の光学素子を簡単に識別することができる光学ブロックを提供することにある。
【課題を解決するための手段】
【０００９】
上記課題を解決するために、本発明では、ほぼ同形状した複数の光学素子を接合してなる光学ブロックであって、各光学素子にはその表面の反射率を低減する反射防止膜が形成されるとともに、各光学素子の反射防止膜の色が異なることを特徴とする。
【００１０】
本発明では、ほぼ同形状した複数の光学素子を接合してなる光学ブロックであって、各光学素子にはその表面の反射率を低減する反射防止膜が形成されるとともに、各光学素子の反射防止膜の色が異なるので、上記複数の光学素子を目視することで識別することができる。したがって、光学ブロックの光学特性を劣化させることなく、視覚によって簡単に認識することができる。
【００１１】
さらに、光学素子のある面を研磨せずにそのままの粗面とすることが無いので、光学素子全ての面を用いることができるので、光学ブロックの用途（機能）を狭めることがなくなる。
【００１２】
本発明において、前記光学ブロックはキューブ型プリズムであり、ほぼ同じ三角柱形状した第１のプリズム構成体および第２のプリズム構成体を光軸に対して斜めに傾いた部分反射面を介して接合するとともに、前記第１のプリズム構成体あるいは前記第２のプリズム構成体のどちらか一方の部分反射面には、光透過特性及び光反射特性を有する光学多層膜が形成されてなることが好ましい。
【００１３】
本発明によれば、キューブ型プリズムの光学特性を劣化させることなく、ほぼ同形状した第１のプリズム構成体と第２のプリズム構成体を反射防止膜の色を目視することで簡単に識別することができる。また、キューブ型プリズムの全面を有効に使用することができ、異なる波長のレーザ発光素子を備えた光ヘッド装置に適用することができる。
【００１４】
さらに、本発明において、各光学素子の前記反射防止膜の波長域は、前期光学ブロックに入射するレーザ光の波長域以外であることが好ましい。このため、前記光学ブロックに入射するレーザ光には影響を与えることがないので、光学ブロックの光学特性を劣化させることはない。
【発明の効果】
【００１５】
本発明では、ほぼ同形状した複数の光学素子を接合してなる光学ブロックであって、各光学素子にはその表面の反射率を低減する反射防止膜が形成されるとともに、各光学素子の反射防止膜はそれぞれ色が異なることを特徴とする。
【００１６】
本発明では、ほぼ同形状した複数の光学素子を接合してなる光学ブロックであって、各光学素子にはその表面の反射率を低減する反射防止膜が形成されるとともに、各光学素子の反射防止膜はそれぞれ色が異なるので、上記複数の光学素子を目視することで識別することができる。したがって、光学ブロックの光学特性を劣化させることなく、視覚によって簡単に認識することができる。
【発明を実施するための最良の形態】
【００１７】
以下に、図面を参照して、本発明の好適な実施の形態を詳細に説明する。
【００１８】
図１は、本発明の光学ブロックの好ましい実施の形態を有するキューブ型ブロックを備えた光ヘッド装置の光学系を中心に示す概略構成図である。
【００１９】
図１に示す光ヘッド装置１０は、ＤＶＤなどの光記録媒体２３に対する情報記録、情報再生を行うものであり、波長６５０ｎｍ帯域のレーザ光を出射するレーザダイオードからなるレーザ発光素子１５、このレーザ発光素子１５から出射されたレーザ光を３ビームに分割するグレーティング１６、レーザ発光素子１５から出射されたレーザ光がグレーティング１６を介して入射するキューブ型プリズム１１、キューブ型プリズム１１を透過してきたレーザ光を平行光化するコリメータレンズ１７、立ち上げミラー１８、およびコリメータレンズ１７から出射された平行光束を光記録媒体２３上に集光させる対物レンズ１９が光路上にこの順に配置されている。
なお、キューブ型プリズム１１は、ほぼ同形状した複数の光学素子を接合してなる光学ブロックであり、光路分離素子あるいは光路合成素子となっている。
また、図１に示す光学系では、このキューブ型プリズム１１は、光路分離素子として用いられている。
【００２０】
キューブ型プリズム１１の側方には、受光素子２１、およびセンサーレンズ２０が配置されており、光記録媒体２３で反射してきた戻り光は、対物レンズ１９、立ち上げミラー１８、コリメータレンズ１７を介してキューブ型プリズム１１に入射し、部分反射面１４によって、その光軸Ｌが直角に折り曲げられてセンサーレンズ２０および受光素子２１に向けて導かれる。
さらに、対物レンズ１９に対しては、それをフォーカシング方向およびトラッキング方向に駆動するレンズ駆動装置２２が構成されている。
【００２１】
（キューブ型プリズムの構成）
図２は、本発明の光学ブロックの好ましい実施の形態を有するキューブ型プリズム１１を示す概略構成図である。
【００２２】
ほぼ同形状した複数の光学素子を接合してなる光学ブロックとしてのキューブ型プリズム１１は、三角柱状の第１のプリズム構成体１２と、同じく三角柱状の第２のプリズム構成体１３とを部分反射面１４を介して接合された構造を有しており、図１に示す光ヘッド装置１０において、部分反射面１４は、レーザ発光素子１５から出射されるレーザ光の光軸Ｌに対して４５度の角度で傾いている。
なお、キューブ型プリズム１１は、ほぼ同形状した複数の光学素子であり、各光学素子は第１のプリズム構成体１２、第２のプリズム構成体１３からなっている。
【００２３】
第１のプリズム構成体１２は、断面形状が直角三角形とされる透明基体で構成されており、本実施の形態ではガラス製光学部材であり、少なくとも可視光領域において透明となっている。
また、第２のプリズム構成体１３と接合される斜面は、光透過特性あるいは光反射特性を有する光学多層膜１２１が形成されている。
さらに、接合される斜面以外の表面、すなわち、図１において、レーザ発光素子１５から出射されたレーザ光が入射する表面には、その表面の反射率を低減させる反射防止膜１２２ａが形成されている。
【００２４】
光学多層膜１２１は、低屈折率材料と高屈折率材料を交互に積層して光の干渉効果を利用することにより、所定の光の透過／反射特性を実現している。低屈性率材料としては例えばＳｉＯ２、ＭｇＦ２などがあり、高屈性率材料としては例えばＴｉＯ2、ＮｂＯ2、Ｔａ２Ｏ５などが好適とされている。そして各層の厚みなどを制御して積層することで、光の偏光成分を所定の効率で分離する特性を有するようになっている。
なお、光学多層膜１２１は、公知のものであり、ここでの詳細な説明は省略する。
【００２５】
第２のプリズム構成体１３は、第１のプリズム構成体１２とほぼ同形、同質であり、断面形状が直角三角形とされる透明基体からなっており、本実施の形態ではガラス製光学部材であり、少なくとも可視光領域において透明となっている。
【００２６】
また、第２のプリズム構成体１３には、第１のプリズム構成体１２と接合される斜面以外の面には、反射率を低減させる反射防止膜１３２ａ、１３３ａが形成されている。
具体的には、光記録媒体２３で反射してきた戻り光が、コリメータレンズ１７を介してキューブ型プリズム１１の第２プリズム構成体１２に入射する面及び、センサーレンズ２０および受光素子２１と対向する面に形成されている。
【００２７】
（反射防止膜について）
本実施の形態では、第１のプリズム構成体１２に形成されている反射防止膜１２２ａと第２のプリズム構成体１３に形成されている反射防止膜１３２ａ（１３３ａ）とはそれぞれ目視で認識できるように、各反射防止膜に色を付けている。
なお、第２のプリズム構成体１３には、２つの面に反射防止膜１３２a、１３３aが形成されているが、第1のプリズム構成体１２と目視で認識できればよいので、これら２つの反射防止膜１３２a、１３３aの両方またはどちらか一方の反射防止膜に色を付けるようにすればよい。
【００２８】
一般に、白色光が物体に当たると、一部の色（波長）は吸収され、残りの色（波長）が散乱して観察者の眼に届く。この散乱光が、物体の色として認識される。
すなわち、反射防止膜１２２ａ、１３２ａ（１３３ａ）において、反射する色（波長域）を設定することで、各反射防止膜１２２ａ、１３２ａ（１３３ａ）の色をつけることになる。
【００２９】
反射防止膜１２２a、１３２a（１３３a）の色を目視で認識できるためには、その波長域は可視光の帯域（３８０〜７７０ｎｍ）内で設定する必要がある。
また、本実施の形態では、図１に示す光ヘッド装置１０はＤＶＤに用いるので、レーザ発光素子１５は６４０〜６６０ｎｍの波長のレーザ光を出射するものである。
そのため、反射防止膜１２２ａ、１３２ａ（１３３ａ）は、可視光の波長域３８０〜７７０ｎｍにおいて、６４０〜６６０ｎｍの波長域を除いた波長域を使用することになる。
以上のことより、使用できる波長域は、３８０〜６４０ｎｍまたは６６０〜７７０ｎｍとなる。
【００３０】
さらに、分光特性を鑑みると急峻な波形を持たせることは困難、すなわち、ＤＶＤで使用する波長域（６４０〜６６０ｎｍ）の近傍では透過率がある程度高いままとなるようにしておかないと、光ヘッド装置１０に影響を与えることになり、正確に情報媒体上のデータを読み取ることができなくなるおそれがある。
そこで、光ヘッド装置１０のレーザ光に影響を与えない波長域を使用するために、ＤＶＤで使用するレーザ光の波長域（６４０〜６６０ｎｍ）から３０ｎｍ程度離れた波長域を使用して設計している。
【００３１】
より具体的には、可視光の両端の波長３８０ｎｍ、７７０ｎｍから３０ｎｍ程度離れた波長域を使用することにし、４００〜６００ｎｍの波長域、または７００〜７５０ｎｍの波長域が識別するために使用可能な波長域と考えている。
この中で、波長域７００〜７５０ｎｍはその帯域が狭いため膜形成の精度を高めなければならないため、本実施の形態では、反射防止膜１２２ａ、１３２ａ（１３３ａ）の透過率を低くする帯域が広い波長域４００〜６００ｎｍを用いて設計している。
【００３２】
以下、第１のプリズム構成体１２の反射防止膜１２２ａ、第２のプリズム構成体１３の反射防止膜１３２ａ（１３３ａ）の膜の構成等について実施の形態ごとに分けて説明する。
【００３３】
（反射防止膜の実施の形態１）
表１は第１のプリズム構成体に形成されている反射防止膜の膜構成を示す。表２は第２のプリズム構成体に形成されている反射防止膜の膜構成を示す。図３は実施の形態１に係る第１あるいは第２のプリズム構成体の各反射防止膜における光透過率を示すグラフである。
【００３４】
【表１】
2006284635.tif 000003
【００３５】
【表２】
2006284635.tif 000004
第１のプリズム構成体１２に形成される反射防止膜１２２ａは、４００〜６００ｎｍに透過率を低くするように設計されており、具体的には、表１に示すように、透明基体としてのガラス光学部材（ＢＫ７：ショット社の名称）に、基体側の第１層と第１１層（最終層）をＳｉＯ２とし、その間にＳｉＯ２とＮｂ２Ｏ５とを互いに蒸着またはスパッタリングを用いて積層して形成されている。各層の膜厚は表１に示すとおりとなっている。
これにより、図３に示すように、本実施の形態では反射防止膜１２２ａは、波長４３０ｎｍ付近をピークとし、その波長での透過率を約４０％とした膜が形成されており、目視すると濃い青色として認識することができるようになっている。
【００３６】
一方、第２のプリズム構成体１３の反射防止膜１３２ａ（１３３ａ）も、同様に、４００〜６００ｎｍに透過率を低くするように設計されているが、表２に示すように、透明基体としてのガラス光学部材（ＢＫ７：ショット社の名称）に、基体側の第１層と第７層（最終層）にＳｉＯ２とし、その間にＳｉＯ２とＮｂ２Ｏ５とを互いに蒸着またはスパッタリングを用いて積層して形成されている。各層の膜厚は表２に示すとおりとなっている。
これにより、図３に示すように、本実施の形態では、反射防止膜１３２ａ（１３３ａ）は、波長４１０ｎｍ付近をピークとし、その波長での透過率を約７５％とした膜が形成されており、目視すると無色から淡い青色として認識することができるようになっている。
【００３７】
このように、第１のプリズム構成体１２の反射防止膜１２２ａは濃い青色として、第２のプリズム構成体１３の反射防止膜１３２ａ（１３３ａ）は無色から淡い青色として目視で認識することができるようになっている。
なお、参考までに、図７には従来の反射防止膜における光透過率を、また、グラフ表３には従来の反射防止膜の膜構成を示す。
【００３８】
【表３】
2006284635.tif 000005
【００３９】
（反射防止膜の実施の形態２）
上述した実施の形態１では、透過率の波長域はほぼ同じであるが、その透過率を変えることで色をつけた場合であるが、波長域を変えるようにしてもよい。
表４は第１のプリズム構成体に形成されている他の反射防止膜の膜構成を示す。表５は第２のプリズム構成体に形成されている他の反射防止膜の膜構成を示す。図４は実施の形態２に係る第１あるいは第２のプリズム構成体の各反射防止膜における光透過率を示すグラフである。
【００４０】
【表４】
2006284635.tif 000006
【００４１】
【表５】
2006284635.tif 000007
【００４２】
第１のプリズム構成体１２に形成される反射防止膜１２２ａは、４００〜６００ｎｍに透過率を低くするように設計されており、具体的には、表３に示すように、透明基体としてのガラス光学部材（ＢＫ７：ショット社の名称）に、基体側の第１層と第１１層（最終層）をＳｉＯ２とし、その間にＳｉＯ２とＮｂ２Ｏ５とを互いに蒸着またはスパッタリングを用いて積層して形成されている。各層の膜厚は表３に示すとおりとなっている。
これにより、図４に示すように、本実施の形態では反射防止膜１２２ａは、波長４５０ｎｍ付近をピークとし、その波長での透過率を約４０％とした膜が形成されており、目視すると青色として認識することができるようになっている。
【００４３】
一方、第２のプリズム構成体１３の反射防止膜１３２ａ（１３３ａ）も、同様に、４００〜６００ｎｍに透過率を低くするように設計されているが、表４に示すように、透明基体としてのガラス光学部材（ＢＫ７：ショット社の名称）に、基体側の第１層と第１１層（最終層）をＳｉＯ２とし、その間にＳｉＯ２とＮｂ２Ｏ５とを互いに蒸着またはスパッタリングを用いて積層して形成されている。各層の膜厚は表４に示すとおりとなっている。
これにより、図４に示すように、本実施の形態では、反射防止膜１３２ａ（１３３ａ）は、波長５００ｎｍ付近をピークとし、その波長での透過率を約４５％とした膜が形成されており、目視すると緑色として認識することができるようになっている。
【００４４】
このように、第１のプリズム構成体１２の反射防止膜１２２ａは青色として、第２のプリズム構成体１３の反射防止膜１３２ａ（１３３ａ）は緑色として目視で認識することができるようになっている。
【００４５】
（キューブ型プリズムの製造方法）
図５（ａ）〜（ｃ）は、本発明の実施の形態に係るキューブ型プリズムの製造方法を示す説明図である。
【００４６】
本実施の形態では、図５（ａ）に示すように、第1および第2のプリズム構成体１２、１３を構成するための直角三角柱状の透明基体（ガラス光学部材：BK７）１２００、１３００を複数、準備する。
【００４７】
図５（ａ）において、第１のプリズム構成体１２を構成するための透明基体（ガラス光学部材：BK７）１２００の斜面１２００ａには、光学多層膜１２１が蒸着またはスパッタリング等の方法により形成されている。
光学多層膜１２１は、低屈折率材料と高屈折率材料を交互に積層して光の干渉効果を利用することにより、所定の光の透過／反射特性を実現している。
なお、光学多層膜１２１は、公知のものであり、ここでの詳細な説明は省略する。
また、透明基体１２００の表面１２００ｂには、反射率を低減させる反射防止膜１２２ａが蒸着またはスパッタリング等の方法により形成されている。
なお、反射防止膜１２２ａの膜の材料及び膜厚は、表１または表３のとおりである。
【００４８】
同様に、第２のプリズム構成体１３を構成するための透明基体（ガラス光学部材：BK７）１３００の表面１３００ａ、１３００ｂには、反射率を低減させる反射防止膜１３２ａ、１３３ａが蒸着またはスパッタリング等の方法により形成されている。
なお、反射防止膜１３２ａ、１３３ａの膜の材料及び膜厚は、表２または表４のとおりである。
【００４９】
そして、図５（ｂ）に示すように、透明基体１２００と透明基体１３００とを部分反射面１４となる斜面同士を接合し、光学ブロックとしてのキューブ型プリズムの積層体１１００を形成する。
また、２つの透明基体１２００、１３００を接合する際には、２つの透明基体１２００、
１３００の間に紫外線硬化型接着剤などを介在させ、それを硬化させる。
【００５０】
次に、図５（ｃ）に示すように、透明基体１２００、１３００同士を接着した積層１１００を長手方向において所定の間隔をあけて切断する。その結果、三角柱状の第１のプリズム構成体１２と、同じく三角柱状の第２のプリズム構成体１３とが部分反射面１４を介して接合されたキューブ型のプリズム１１が複数、製造される。
【００５１】
（本実施の形態の効果）
【００５２】
キューブ型プリズム１１は、ほぼ三角形状した２つの第１のプリズム構成体１２及び第２のプリズム構成体１３で構成されており、第１のプリズム構成体１２には、その表面の反射率を低減する反射防止膜１２２ａが形成され、同様に、第２のプリズム構成体１３には反射防止膜１３２ａ、１３３ａが形成されているとともに、第１のプリズム構成体１２に形成されている反射防止膜１２２ａの色と、第２のプリズム構成体１３に形成されている反射防止膜１３２ａまたは１３３ａの色が異なるようにしている。
【００５３】
キューブ型プリズム１１は、第１及のプリズム構成体１２に形成されている反射防止膜１２２ａの色と、第２のプリズム構成体１３に形成されている反射防止膜１３２ａまたは１３３ａの色が異なるので、第１、第２のプリズム構成体１２、１３を目視することで識別することができる。したがって、キューブ型プリズム１１の光学特性を劣化させることなく、視覚によって簡単に認識することができる。
【００５４】
さらに、第１、第２のプリズム構成体１２、１３のある面を研磨せずにそのままの粗面とすることが無いので、第１、第２のプリズム構成体１２、１３全ての面を用いることができるので、キューブ型プリズム１１の用途（機能）を狭めることがなくなる。
【００５５】
また、従来のように、光学多層膜１２１を形成する前に、どちらかのプリズム構成体１２、１３の面に面取り部１３４を形成することもないので、面取り部１３４が行ったプリズム構成体と、形成していないプリズム構成体と常に２種類のプリズム構成体を用意しておくこともなく、在庫等のロスを少なくすることができる。
【００５６】
さらに、キューブ型プリズム１１において、ほぼ同じ三角柱形状した第１のプリズム構成体１２および第２のプリズム構成体１３を光軸Ｌに対して斜めに傾いた部分反射面１４を介して接合するとともに、第１のプリズム構成体１２あるいは第２のプリズム構成体１３のどちらか一方の部分反射面１４には、光透過特性及び光反射特性を有する光学多層膜１２１が形成されている。
このため、キューブ型プリズム１１の全面を有効に使用することができ、異なる波長のレーザ発光素子１を備えた光ヘッド装置に適用することができる。
【００５７】
また、上述のとおり、キューブ型プリズム１１は、ほぼ同形状した第１のプリズム構成体１２と第２のプリズム構成体１３を、各プリズム構成体に形成されている反射防止膜１２２ａ、１３２ａ（１３３ａ）の色を目視することで簡単に識別することができる。このため、光学多層膜１２１が形成されている第１のプリズム構成体１２を、第２のプリズム構成体１３と簡単に識別することができるので、正確に、キューブ型プリズム１１を、光ヘッド装置１０に配置することができるとともに、所定の光透過特性または光反射特性を得ることができる。
【００５８】
さらに、第１のプリズム構成体１２及び第２のプリズム構成体１３に形成されている反射防止膜１２２ａ、１３２ａ（１３３ａ）の波長域は、４００〜６００ｎｍの帯域を使用しているので、光ヘッド装置１０で用いるＤＶＤ用のレーザ発光素子１２のレーザ光の波長域（６４０〜６６０ｎｍ）以外となっている。このため、キューブ型プリズム１１に入射するレーザ光には影響を与えることがないので、光ヘッド装置１０の光学特性を劣化させることはない。
【００５９】
［その他の実施の形態］
なお、上述の本実施の形態は本発明の好適な実施の一例ではあるがこれに限定されるものではなく、本発明の要旨を逸脱しない範囲において種々変形実施可能である。
例えば本実施の形態では、反射防止膜は４００〜６００ｎｍで透過率を低くしたが、これに限らず、７００〜７５０ｎｍの波長域を用いて透過率を低くしてもよい。
【００６０】
本実施の形態では、光ヘッド装置１０として、ＤＶＤ（６４０〜６６０ｎｍ）用であるが、ＣＤ（７８０〜８００ｎｍ）用であってもよい。
さらに、次世代光ディスクに対応し、４００〜４１０ｎｍの波長領域を使用する光ヘッド装置に適用してもよい。なお、この場合には、反射防止膜の色は４００〜４１０ｎｍの波長領域は避けるようにする必要がある。
【００６１】
また、光記録媒体２３としてＤＶＤおよびＣＤに対する情報記録、情報再生を行うために、波長が６５０ｎｍ帯のレーザ光を出射する第１のレーザ発光素子と、波長が７８０ｎｍ帯のレーザ光を出射する第２の発光素子とを備えた２波長光ヘッド装置に用いられる複合プリズムを製造する際に本発明を適用してもよい。
【００６２】
本実施の形態では、直角二等辺三角柱状の第１のプリズム構成体１２と第２のプリズム構成体１３とを部分反射面１４を介して接合したキューブ型のプリズム１１を例に説明したが、これ以外にも、部分反射面１４が、レーザ発光素子１５から出射されるレーザ光の光軸Ｌに対して４５度以外の角度を成しているような異型プリズムに本発明を適用してもよい。
また、光学多層膜１２１としての偏光分離膜やハーフミラー膜のほか、位相差膜などを介在させてもよい。
さらに、光学多層膜１２１は、第１のプリズム構成体に形成するのではなく、第２のプリズム構成体に形成してもよい。
【図面の簡単な説明】
【００６３】
【図１】本発明の光学ブロックの好ましい実施の形態を有するキューブ型ブロックを備えた光ヘッド装置の光学系を中心に示す概略構成図である。
【図２】本発明の光学ブロックの好ましい実施の形態を有するキューブ型プリズム１１を示す概略構成図である。
【図３】実施の形態１に係る第１あるいは第２のプリズム構成体の各反射防止膜における光透過率を示すグラフである。
【図４】実施の形態２に係る第１あるいは第２のプリズム構成体の各反射防止膜における光透過率を示すグラフである。
【図５】（ａ）〜（ｃ）は、本発明の実施の形態に係るキューブ型プリズムの製造方法を示す説明図である。
【図６】従来のキューブ型プリズムを示す概略構成図である。
【図７】従来の第１あるいは第２のプリズム構成体の各反射防止膜における光透過率を示すグラフである。
【符号の説明】
【００６４】
１０                光ヘッド装置
１１                キューブ型プリズム
１２                第１のプリズム構成体
１２１              光学多層膜
１２２ａ            反射防止膜
１３                第２のプリズム構成体
１３２ａ、１３３ａ  反射防止膜
１４                部分反射面
１５                  レーザ発光素子
【図１】
2006284635.tif 000008
【図２】
2006284635.tif 000009
【図３】
2006284635.tif 000010
【図４】
2006284635.tif 000011
【図５】
2006284635.tif 000012
【図６】
2006284635.tif 000013
【図７】
2006284635.tif 000014